(57)【要約】【課題】停電時において、蓄電池により特定の電気機器への電力の供給を行うことができ、かつ、蓄電池に充電を行うことができる電力供給装置を提供すること。【解決手段】系統検出部１１により検出された検出信号に基づいて、系統検出信号Ｓ１を生成する系統検出信号生成部１２と、ＤＣ−ＣＴ部１３により検出された検出信号に基づいて、入出力電流検出信号Ｓ２を生成するＤＣ−ＣＴ信号生成部１４と、発電装置検出部１６により検出された検出信号に基づいて、発電装置検出信号Ｓ３を生成する発電装置検出信号生成部１７と、系統検出信号Ｓ１、入出力電流検出信号Ｓ２および発電装置検出信号Ｓ３に基づいて、発電装置用リレー１８を切り替えるリレー制御部２０と、表示操作部２１により充電モードが選択された場合、充電用リレー１９を接続状態に切り替えて、発電装置４から蓄電池３に電力を供給させる制御部２２とを備える。【選択図】図１
2016208604.tif 000002
【特許請求の範囲】
【請求項１】
第１電気機器および第２電気機器に電力を供給する電力系統の電力を検出する系統検出部と、
前記系統検出部により検出された検出信号に基づいて、系統検出信号を生成する系統検出信号生成部と、
蓄電池へ入力される入力電流、または蓄電池から出力される出力電流を検出する入出力電流検出部と、
前記入出力電流検出部により検出された検出信号に基づいて、入出力電流検出信号を生成する入出力電流信号生成部と、
発電装置が接続される接続部と、
前記発電装置から供給される電力を検出する発電装置検出部と、
前記発電装置検出部により検出された検出信号に基づいて、発電装置検出信号を生成する発電装置検出信号生成部と、
前記発電装置と前記第２電気機器とを接続状態または非接続状態に切り替える第１リレーと、
前記発電装置と前記蓄電池とを接続状態または非接続状態に切り替える第２リレーと、
前記系統検出信号、前記入出力電流検出信号および前記発電装置検出信号に基づいて、前記第１リレーを切り替える第１リレー切替部と、
前記蓄電池を充電する充電モードを選択する選択部と、
前記選択部により前記充電モードが選択された場合、前記第２リレーを接続状態に切り替えて、前記発電装置から前記蓄電池に電力を供給させる制御部とを備える電力供給装置。
【請求項２】
前記第１リレー切替部は、前記系統検出信号が前記電力系統の電力を検出しなかった旨の信号であり、前記入出力電流検出信号が前記蓄電池へ入力される入力電流を検出した旨の信号であり、前記発電装置検出信号が前記発電装置の電力を検出した旨の信号である場合、前記第１リレーを接続状態に切り替える請求項１に記載の電力供給装置。
【請求項３】
前記接続部は、ＡＣインレット端子である請求項１に記載の電力供給装置。
【発明の詳細な説明】
【技術分野】
【０００１】
本発明は、複数の電力供給源から供給される電力を電気機器に供給する電力供給装置に関する。
【背景技術】
【０００２】
電力供給装置には、太陽光パネルを電力供給源として利用するものがある。しかし、太陽光パネルの発電量は、太陽光の日射量によって増減する。晴れていて太陽光の日射量が多い時には、太陽光パネルの発電量は多くなり、曇り、雨または雪等によって太陽光の日射量が少ない時には、太陽光パネルの発電量は少なくなる。よって、太陽光パネルを用いた電力供給装置では、接続されている電気機器に対して、電力の供給が安定しない場合がある。
【０００３】
特許文献１には、太陽光パネルと、蓄電池を備えた補助電源システムとを組み合わせた太陽光発電システムが開示されている。具体的には、特許文献１に記載の太陽光発電システムは、停電時の商用電源網への逆潮流を回避し、商用電源網との接続を簡略化することにより、電力の供給を安定化する構成が開示されている。
【先行技術文献】
【特許文献】
【０００４】
【特許文献１】特開２０１４−１８０１２５号公報
【発明の概要】
【発明が解決しようとする課題】
【０００５】
ところで、特許文献１に記載の太陽光発電システムでは、停電が生じたときに、太陽光パネルによる発電量が低下すると、蓄電池の容量に電気機器の使用が制約されることになる。
【０００６】
すなわち、停電時において、太陽光パネルの発電量が低下した場合、太陽光パネルから蓄電池に充電が行えないため、電気機器の使用によって蓄電池が放電してしまうと、電気機器への電力の供給が困難になる可能性がある。
【０００７】
本発明は、上記に鑑みてなされたものであって、停電時において、蓄電池により特定の電気機器への電力の供給を行うことができ、かつ、蓄電池に充電を行うことができる電力供給装置を提供することを目的とする。
【課題を解決するための手段】
【０００８】
上述した課題を解決し、目的を達成するために、本発明は、第１電気機器および第２電気機器に電力を供給する電力系統の電力を検出する系統検出部と、系統検出部により検出された検出信号に基づいて、系統検出信号を生成する系統検出信号生成部と、蓄電池へ入力される入力電流、または蓄電池から出力される出力電流を検出する入出力電流検出部と、入出力電流検出部により検出された検出信号に基づいて、入出力電流検出信号を生成する入出力電流信号生成部と、発電装置が接続される接続部と、発電装置から供給される電力を検出する発電装置検出部と、発電装置検出部により検出された検出信号に基づいて、発電装置検出信号を生成する発電装置検出信号生成部と、発電装置と第２電気機器とを接続状態または非接続状態に切り替える第１リレーと、発電装置と蓄電池とを接続状態または非接続状態に切り替える第２リレーと、系統検出信号、入出力電流検出信号および発電装置検出信号に基づいて、第１リレーを切り替える第１リレー切替部と、蓄電池を充電する充電モードを選択する選択部と、選択部により充電モードが選択された場合、第２リレーを接続状態に切り替えて、発電装置から蓄電池に電力を供給させる制御部とを備えることを特徴とする。
【発明の効果】
【０００９】
本発明にかかる電力供給装置は、蓄電池により特定の電気機器への電力の供給を行うことができ、かつ、蓄電池に充電を行うことができる。
【図面の簡単な説明】
【００１０】
【図１】電力供給装置の構成を示す図
【図２】電力系統が停電した場合における電力供給装置の動作についての説明に供するフローチャート
【図３】系統検出信号、入出力電流検出信号および発電装置検出信号の状態を示す図
【図４】電力供給装置の処理部を実現するためのハードウェア構成例を示す図
【発明を実施するための形態】
【００１１】
以下に、本発明の実施の形態にかかる電力供給装置を図面に基づいて詳細に説明する。なお、この実施の形態によりこの発明が限定されるものではない。
【００１２】
実施の形態
図１は、実施の形態にかかる電力供給装置１の構成を示す図である。電力供給装置１は、外部発電装置により発電された直流電圧を交流電圧に変換し、変換後の交流電圧を家庭電気機器に供給する装置であり、パワーコンディショナーと称される。電力供給装置１は、電力系統２の電力を検出する系統検出部１１と、系統検出信号Ｓ１を生成する系統検出信号生成部１２と、蓄電池３へ入出力される電流を検出する入出力電流検出部であるＤＣ−ＣＴ（Ｄｉｒｅｃｔ  Ｃｕｒｒｅｎｔ  −  Ｃｕｒｒｅｎｔ  Ｔｒａｎｓｆｏｒｍｅｒ）部１３と、入出力電流検出信号Ｓ２を生成する入出力電流検出信号生成部であるＤＣ−ＣＴ信号生成部１４と、発電装置４が接続される接続部であるＡＣインレット１５と、発電装置４から供給される電力を検出する発電装置検出部１６と、発電装置検出信号Ｓ３を生成する発電装置検出信号生成部１７と、接続状態を切り替える第１リレーである発電装置用リレー１８と、接続状態を切り替える第２リレーである充電用リレー１９と、発電装置用リレー１８を切り替える第１リレー切替部であるリレー制御部２０と、充電モードを選択する表示操作部２１と、電力供給装置１の全体を制御する制御部２２とを備える。なお、系統検出信号生成部１２、ＤＣ−ＣＴ信号生成部１４、発電装置検出信号生成部１７、リレー制御部２０および制御部２２は、処理部３０と称する。
【００１３】
また、電力供給装置１は、蓄電池３から供給される電圧の値を検出する蓄電池検出部２３と、停電時に電力供給装置１から電力系統２を切り離すための系統リレー２４と、電力供給装置１と蓄電池３を切り離すためのＤＣリレー２５と、電力系統２が停電したときに蓄電池３から重要負荷１０１に電力を供給する重要負荷用リレー２６と、蓄電池３側の接点と発電装置４側の接点とを切り替えて、重要負荷１０１に電力を供給する重要負荷用リレー２７，２８と、電力変換を行う主回路部２９とを備える。
【００１４】
系統検出部１１は、第１電気機器である家庭電気機器１００および第２電気機器である重要負荷１０１に電力を供給する電力系統２の電力を検出する。
【００１５】
系統検出信号生成部１２は、系統検出部１１により検出された検出信号に基づいて、系統検出信号Ｓ１を生成する。なお、系統検出信号Ｓ１の詳細については、後述する。
【００１６】
ＤＣ−ＣＴ部１３は、蓄電池３へ入力される入力電流、または蓄電池３から出力される出力電流を検出する。
【００１７】
ＤＣ−ＣＴ信号生成部１４は、ＤＣ−ＣＴ部１３により検出された検出信号に基づいて、入出力電流検出信号Ｓ２を生成する。なお、入出力電流検出信号Ｓ２の詳細については、後述する。
【００１８】
発電装置検出信号生成部１７は、発電装置検出部１６により検出された検出信号に基づいて、発電装置検出信号Ｓ３を生成する。なお、発電装置検出信号Ｓ３の詳細については、後述する。
【００１９】
発電装置用リレー１８は、発電装置４と重要負荷１０１とを接続状態または非接続状態に切り替える。
【００２０】
充電用リレー１９は、発電装置４と蓄電池３とを接続状態または非接続状態に切り替える。
【００２１】
リレー制御部２０は、系統検出信号Ｓ１、入出力電流検出信号Ｓ２および発電装置検出信号Ｓ３に基づいて、発電装置用リレー１８を切り替える。
【００２２】
表示操作部２１は、蓄電池３を充電する充電モードを選択する選択部である切り替えスイッチ２１ａを含んでいる。また、切り替えスイッチ２１ａは、電力供給装置１の運転を切り替えるときに操作されるスイッチであり、充電モードのほかに、自立運転モードの切り替えも行える。なお、充電モードおよび自立運転モードの詳細については、後述する。また、表示操作部２１は、電力供給装置１の運転状態を示すディスプレイ２１ｂを備える。ディスプレイ２１ｂは、７セグメントディスプレイ、１４セグメントディスプレイが例示される。ユーザは、ディスプレイ２１ｂに表示される内容によって電力系統２が停電したことなどを把握することができる。
【００２３】
制御部２２は、表示操作部２１により充電モードが選択された場合、充電用リレー１９を接続状態に切り替えさせて、発電装置４から蓄電池３に電力を供給させる。
【００２４】
主回路部２９は、蓄電池３から供給される直流電圧を任意の直流電圧に変換し、変換後の直流電圧を交流電圧に変換する。主回路部２９は、電力系統２または発電装置４から供給される交流電圧を蓄電池３の仕様に基づいた直流電圧に変換する。
【００２５】
また、発電装置４と電力供給装置１とは、電源コード５により接続される。電源コード５の一方端部は、ＡＣプラグで構成され、発電装置４が接続される。電源コード５の他方端部は、ＡＣソケットで構成され、電力供給装置１のＡＣインレット１５が接続される。
【００２６】
電力供給装置１と電力系統２との間には、家庭電気機器１００が接続されている。家庭電気機器１００は、電子レンジ、洗濯機、空調装置が例示される。また、電力系統２の電力は、系統リレー２４および重要負荷用リレー２６，２７，２８を介して、重要負荷１０１に供給される。重要負荷１０１は、非常用電灯、テレビ、携帯電話、ラジオ等が例示される。また、重要負荷１０１は、総消費電力が１．５ｋＷを超えない機器が想定される。
【００２７】
ここで、電力系統２が停電した場合における電力供給装置１の動作について、図２に示すフローチャートを用いて説明する。
【００２８】
ステップＳＴ１において、電力系統２の電力を検出して検出信号を生成し、当該検出信号を系統検出信号生成部１２に出力する。
【００２９】
ステップＳＴ２において、系統検出部１１は、検出信号に基づいて、電力系統２が停電したことを検出した場合には、電力系統２が停電したことを示す信号を制御部２２に出力する。
【００３０】
ステップＳＴ３において、制御部２２は、系統リレー２４を解列させて、電力供給装置１と電力系統２を切り離し、主回路部２９による電力変換の動作を停止させる。
【００３１】
ステップＳＴ４において、制御部２２は、電力系統２が停電したことを示す信号を表示操作部２１に出力する。表示操作部２１のディスプレイ２１ｂは、電力系統２が停電したことを表示する。なお、ディスプレイ２１ｂに表示される点灯パターンは任意である。例えば、「１」が表示されることによって、電力系統２が停電したことを示す。
【００３２】
ステップＳＴ５において、切り替えスイッチ２１ａは、ユーザの操作によって自立運転モードが選択された場合、自立運転モードが選択されたことを示す信号を制御部２２に出力する。
【００３３】
ステップＳＴ６において、制御部２２は、主回路部２９による電力変換の動作を開始させる制御を行い、重要負荷用リレー２６を接続状態に切り替えさせる。
【００３４】
よって、電力供給装置１は、蓄電池３から供給された直流電圧を主回路部２９により交流電圧に変換し、変換された交流電圧を重要負荷１０１に供給することができる。なお、電力供給装置１では、重要負荷用リレー２６が接続状態の場合には、系統リレー２４は、解列されており、重要負荷用リレー２６が非接続状態の場合には、系統リレー２４は、並列されている。また、重要負荷用リレー２７，２８は、１Ｃタイプの接点回路により構成されており、通常は、主回路部２９側の接点に接続されている。
【００３５】
また、電力供給装置１の自立運転モードは、蓄電池３に蓄えられた電力を放電するのみであり、蓄電池３の放電が継続すると蓄電池３の放電電圧は低下する。蓄電池検出部２３は、蓄電池３の放電電圧値を検出し、検出した放電電圧値を制御部２２に出力する。制御部２２は、放電電圧値に基づいて、蓄電池３の充電容量を監視している。また、放電電圧値の閾値は、表示操作部２１によって設定されている。
【００３６】
制御部２２は、蓄電池検出部２３から入力された放電電圧値が、設定されている閾値を下回ったことを検出した場合、放電電圧値が閾値を下回ったことを示す信号を表示操作部２１に出力する。表示操作部２１のディスプレイ２１ｂは、放電電圧値が閾値を下回ったことを表示する。なお、ディスプレイ２１ｂに表示される点灯パターンは任意である。例えば、「２」が表示されることによって、放電電圧値が閾値を下回ったことを示す。
【００３７】
ディスプレイ２１ｂの表示によって、蓄電池３の放電電圧値が閾値を下回ったことを認知したユーザは、電源コード５により発電装置４と電力供給装置１とを接続する。
【００３８】
発電装置４と電力供給装置１とが電源コード５により接続された後、ユーザは、発電装置４を操作して、発電させる。発電装置４で発電された電力は、電源コード５を介して電力供給装置１に供給される。
【００３９】
発電装置検出部１６は、発電装置４から供給される電力を検出した場合、当該検出を示す信号を制御部２２に出力する。制御部２２は、重要負荷用リレー２６を非接続状態に切り替えさせ、主回路部２９による電力変換の動作を停止させる。また、制御部２２は、重要負荷用リレー２７，２８を蓄電池３側の接点から、発電装置４側の接点に切り替えさせる。
【００４０】
また、リレー制御部２０は、系統検出信号Ｓ１が電力系統２の電力を検出しなかった旨の信号であり、入出力電流検出信号Ｓ２が蓄電池３へ入力される入力電流を検出しなかった旨、または蓄電池３へ入出力される電流を検出しなかった旨の信号であり、発電装置検出信号Ｓ３が発電装置４の電力を検出した旨の信号である場合、発電装置用リレー１８を接続状態に切り替えさせる。
【００４１】
電力供給装置１は、リレー制御部２０により発電装置用リレー１８を接続状態に切り替えさせることにより、発電装置４で発電された電力を、電源コード５を介して、重要負荷１０１に供給させることができる。
【００４２】
また、切り替えスイッチ２１ａは、ユーザの操作によって充電モードが選択された場合、充電モードが選択されたことを示す信号を制御部２２に出力する。
【００４３】
制御部２２は、充電用リレー１９を接続状態に切り替えさせ、主回路部２９による電力変換の動作を開始させる制御を行う。主回路部２９は、発電装置４から供給された交流電圧を直流電圧に変換し、変換した直流電圧を蓄電池３に供給する。蓄電池３は、供給された直流電圧により充電される。なお、電力供給装置１は、自立運転モードによって発電装置４で発電された電力を重要負荷１０１に供給しながら、充電モードによって蓄電池３を充電することもできる。
【００４４】
よって、電力供給装置１は、電源コード５を用いることによって、ユーザに安全かつ簡単に発電装置４を接続させることができる。また、電力供給装置１は、電力系統２が停電した場合において、発電装置４で発電された電力を重要負荷１０１に供給させることができ、かつ、発電装置４で発電された電力により蓄電池３を充電することができる。
【００４５】
また、充電用リレー１９が故障により短絡しており、かつ、電力供給装置１が系統連系による放電中において、電源コード５を用いて発電装置４を接続してしまう場合が想定される。当該場合、主回路部２９は、電力系統２と発電装置４とから電力が入力されることになる。系統電力２から入力される交流電圧の位相と発電装置４から入力される交流電圧の位相とは、同期していないため、短絡事故が発生する可能性がある。
【００４６】
電力供給装置１は、短絡事故を未然に防止するためのリレー制御を行う機能を有している。以下に、短絡事故を未然に防止するためのリレー制御の機能について説明する。当該機能は、主に、系統検出部１１、系統検出信号生成部１２、ＤＣ−ＣＴ部１３、ＤＣ−ＣＴ信号生成部１４、発電装置検出部１６、発電装置検出信号生成部１７、発電装置用リレー１８およびリレー制御部２０を用いて実行される。
【００４７】
まず、系統検出部１１および系統検出信号生成部１２の動作について説明する。系統検出部１１は、電力系統２の電力を検出して検出信号を生成し、当該検出信号を系統検出信号生成部１２に出力する。
【００４８】
系統検出信号生成部１２は、検出信号に基づいて、電力系統２からの電力が供給されていることを検出した場合には、Ｌｏｗを示す系統検出信号Ｓ１を生成し、また、電力系統２が検出されない、すなわち、電力系統２が停電していることを検出した場合には、Ｈｉｇｈを示す系統検出信号Ｓ１を生成する。系統検出信号生成部１２は、ＬｏｗまたはＨｉｇｈを示す系統検出信号Ｓ１をリレー制御部２０に出力する。
【００４９】
つぎに、ＤＣ−ＣＴ部１３およびＤＣ−ＣＴ信号生成部１４の動作について説明する。ＤＣ−ＣＴ部１３は、蓄電池３から電力供給装置１に電流が出力されたことを検出した場合、すなわち、蓄電池３が放電していることを検出した場合には、負の直流電圧をＤＣ−ＣＴ信号生成部１４に出力する。また、ＤＣ−ＣＴ部１３は、電力供給装置１から蓄電池３に電流が入力されたことを検出した場合、すなわち、蓄電池３が充電されていることを検出した場合には、正の直流電圧をＤＣ−ＣＴ信号生成部１４に出力する。さらに、ＤＣ−ＣＴ部１３は、蓄電池３へ入出力される電流を検出しなかった場合には、０Ｖの電圧をＤＣ−ＣＴ信号生成部１４に出力する。
【００５０】
ＤＣ−ＣＴ信号生成部１４は、ＤＣ−ＣＴ部１３から負の直流電圧が入力された場合には、Ｌｏｗを示す入出力電流検出信号Ｓ２を生成し、ＤＣ−ＣＴ部１３から正の直流電圧または０Ｖが入力された場合には、Ｈｉｇｈを示す入出力電流検出信号Ｓ２を生成する。ＤＣ−ＣＴ信号生成部１４は、ＬｏｗまたはＨｉｇｈを示す入出力電流検出信号Ｓ２をリレー制御部２０に出力する。
【００５１】
つぎに、発電装置検出部１６および発電装置検出信号生成部１７の動作について説明する。発電装置検出部１６は、発電装置４からの電力を検出して検出信号を生成し、当該検出信号を発電装置検出信号生成部１７に出力する。
【００５２】
発電装置検出信号生成部１７は、検出信号に基づいて、発電装置４から電力が供給されていることを検出した場合には、Ｈｉｇｈを示す発電装置検出信号Ｓ３を生成し、発電装置４から電力が供給されていないことを検出した場合には、Ｌｏｗを示す発電装置検出信号Ｓ３を生成する。発電装置検出信号生成部１７は、ＨｉｇｈまたはＬｏｗを示す発電装置検出信号Ｓ３をリレー制御部２０に出力する。
【００５３】
図３は、リレー制御部２０に系統検出信号Ｓ１、入出力電流検出信号Ｓ２および発電装置検出信号Ｓ３が入力されたときの、各信号のＬｏｗおよびＨｉｇｈの状態を示す図である。図３中のＬは、Ｌｏｗを示し、図３中のＨは、Ｈｉｇｈを示す。
【００５４】
リレー制御部２０は、系統検出信号Ｓ１、入出力電流検出信号Ｓ２および発電装置検出信号Ｓ３のすべてがＨｉｇｈを示す場合、発電装置用リレー１８を接続状態に切り替えさせる。
【００５５】
また、リレー制御部２０は、系統検出信号Ｓ１、入出力電流検出信号Ｓ２および発電装置検出信号Ｓ３のいずれかがＬｏｗを示す場合には、発電装置用リレー１８を非接続状態に切り替えさせる。
【００５６】
よって、電力供給装置１は、充電用リレー１９が故障により短絡しており、かつ、系統連系による放電中において、電源コード５を用いて発電装置４を接続してしまっても、短絡事故を未然に防止することができる。
【００５７】
なお、発電装置４は、電気自動車に内蔵された蓄電池が例示されるが、電気自動車と太陽光発電システムとから構成されてもよい。また、電気自動車本体に設けられたＡＣ外部出力に電源コード５を接続することにより、電気自動車に内蔵されている蓄電池から電力が供給される構成でもよい。
【００５８】
なお、電力供給装置１は、図４に示すように、演算を行うＣＰＵ２０１と、ＣＰＵ２０１により読み取られるプログラムが保存されるメモリ２０２と、信号の入出力を行うインターフェイス２０３とから構成されてもよい。
【００５９】
具体的には、メモリ２０２には、系統検出信号生成部１２、ＤＣ−ＣＴ信号生成部１４、発電装置検出信号生成部１７、リレー制御部２０および制御部２２で構成される処理部３０の機能を実行するプログラムが格納されている。
【００６０】
ＣＰＵ２０１は、インターフェイス２０３を介して系統検出部１１から入力された検出信号に基づいて、ＬｏｗまたはＨｉｇｈを示す系統検出信号Ｓ１を生成する。ＣＰＵ２０１は、インターフェイス２０３を介してＤＣ−ＣＴ部１３から入力された電圧に基づいて、ＬｏｗまたはＨｉｇｈを示す入出力電流検出信号Ｓ２を生成する。ＣＰＵ２０１は、インターフェイス２０３を介して発電装置検出部１から入力された検出信号に基づいて、ＨｉｇｈまたはＬｏｗを示す発電装置検出信号Ｓ３を生成する。
【００６１】
ＣＰＵ２０１は、系統検出信号Ｓ１、入出力電流検出信号Ｓ２および発電装置検出信号Ｓ３のすべてがＨｉｇｈを示す場合、発電装置用リレー１８を接続状態に切り替えさせる信号を生成し、当該信号をインターフェイス２０３を介して発電装置用リレー１８に出力する。発電装置用リレー１８は、当該信号に基づいて、リレーを接続状態に切り替える。
【００６２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６３】
１  電力供給装置、２  電力系統、３  蓄電池、４  発電装置、１１  系統検出部、１２  系統検出信号生成部、１３  ＤＣ−ＣＴ部（入出力電流検出部）、１４  ＤＣ−ＣＴ信号生成部（入出力電流検出信号生成部）、１５  ＡＣインレット（接続部）、１６  発電装置検出部、１７  発電装置検出信号生成部、１８  発電装置用リレー（第１リレー）、１９  充電用リレー（第２リレー）、２０  リレー制御部（第１リレー切替部）、２１  表示操作部、２１ａ  切り替えスイッチ、２１ｂ  ディスプレイ、２２  制御部、２３  蓄電池検出部、２４  系統リレー、２５  ＤＣリレー、２６，２７，２８  重要負荷用リレー、２９  主回路部、３０  処理部、１００  家庭電気機器（第１電気機器）、１０１  重要負荷（第２電気機器）。
【図１】
2016208604.tif 000003
【図２】
2016208604.tif 000004
【図３】
2016208604.tif 000005
【図４】
2016208604.tif 000006